【手続補正書】
【提出日】平成23年5月17日(2011.5.17)
【手続補正１】
【補正対象書類名】特許請求の範囲
【補正対象項目名】全文
【補正方法】変更
【補正の内容】
【特許請求の範囲】
【請求項１】
超電導体を含む部材を内部に保持する超電導機器用容器であって、
開口部を有する樹脂製の筐体部材と、
前記開口部を貫通するように配置された金属部材と、
前記開口部を覆うとともに前記筐体部材と前記金属部材とを接続し、熱応力緩和部を有する接続部材とを備え、
前記接続部材は、前記開口部の内壁に接触する樹脂製の筐体側固定部と、
前記金属部材と接続された金属製の金属部材側固定部とを含み、
前記筐体側固定部は、前記筐体部材の外周面上において前記開口部から外側に延びる樹脂製フランジ部を有し、
前記金属部材側固定部は、前記樹脂製フランジ部と対向配置される金属製フランジ部を有し、
前記金属製フランジ部と前記樹脂製フランジ部とは接着部材により接合され、
前記熱応力緩和部は前記金属製フランジ部と前記樹脂製フランジ部との接合部を含む、超電導機器用容器。
【請求項２】
超電導体を含む部材を内部に保持する超電導機器用容器であって、
開口部を有する樹脂製の筐体部材と、
前記開口部を貫通するように配置された金属部材と、
前記開口部を覆うとともに前記筐体部材と前記金属部材とを接続し、かつ、金属からなり弾性変形可能な部分を含む接続部材とを備え、
前記接続部材は、前記開口部の内壁に接触する樹脂製の筐体側固定部と、
前記弾性変形可能な部分を有し、前記金属部材と接続された金属製の金属部材側固定部とを含み、
前記筐体側固定部は、前記筐体部材の外周面上において前記開口部から外側に延びる樹脂製フランジ部を有し、
前記金属部材側固定部は、前記樹脂製フランジ部と対向配置される金属製フランジ部を有し、
前記金属製フランジ部と前記樹脂製フランジ部とは接着部材により接合され、
前記弾性変形可能な部分は、前記金属製フランジ部と前記樹脂製フランジ部との接合部を含む、超電導機器用容器。
【請求項３】
前記金属製フランジ部において前記接着部材と接触する表面には、前記金属部材と接続された前記接続部を中心として円周方向に延びる凹凸部が形成されている、請求項１または２に記載の超電導機器用容器。
【請求項４】
前記筐体側固定部には、前記筐体部材の前記開口部の内部に位置する貫通穴が形成され、
前記金属部材は前記貫通穴に挿入され、
前記貫通穴の内周面にはメネジ部が形成され、
前記金属部材の外周面にはオネジ部が形成され、
前記オネジ部が前記メネジ部と噛み合うことにより、前記金属部材は前記筐体側固定部に固定されている、請求項１〜３のいずれか１項に記載の超電導機器用容器。
【請求項５】
超電導体を含む部材を内部に保持する超電導機器用容器であって、
開口部を有する樹脂製の筐体部材と、
前記開口部を貫通するように配置された金属部材と、
前記開口部を覆うとともに前記筐体部材と前記金属部材とを接続し、熱応力緩和部を有する接続部材とを備え、
前記接続部材は、前記熱応力緩和部として湾曲部を有する、超電導機器用容器。
【請求項６】
前記接続部材は、前記開口部の内壁に接触する筐体側固定部と、
前記開口部の幅より広い幅を有し、前記湾曲部を有する金属部材側固定部とを含み、
前記金属部材側固定部においては、前記金属部材側固定部の一方端が前記筐体側固定部と接続され、前記一方端と前記湾曲部を介して反対側に位置する他方端が前記金属部材と接続されている、請求項５に記載の超電導機器用容器。
【請求項７】
前記接続部材を構成する材料はＦｅ−Ｎｉ合金である、請求項５または６に記載の超電導機器用容器。
【請求項８】
超電導体を含む部材を内部に保持する超電導機器用容器であって、
開口部を有する樹脂製の筐体部材と、
前記開口部を貫通するように配置された金属部材と、
前記開口部を覆うとともに前記筐体部材と前記金属部材とを接続し、かつ、金属からなり弾性変形可能な部分を含む接続部材とを備え、
前記接続部材は、前記開口部の内壁に接触する筐体側固定部と、
前記開口部の幅より広い幅を有し、前記弾性変形可能な部分を有する金属部材側固定部とを含み、
前記金属部材側固定部においては、前記金属部材側固定部の一方端が前記筐体側固定部と接続され、前記一方端と前記弾性変形可能な部分を介して反対側に位置する他方端が前記金属部材と接続されている、超電導機器用容器。
【請求項９】
請求項１、請求項２、請求項５または請求項８のいずれか１項に記載の超電導機器用容器と、
前記超電導機器用容器の内部に配置された、超電導体を含む部材とを備える、超電導機器。
【手続補正２】
【補正対象書類名】明細書
【補正対象項目名】００１１
【補正方法】変更
【補正の内容】
【００１１】
本発明に係る超電導機器用容器は、超電導体を含む部材を内部に保持する超電導機器用容器であって、開口部を有する樹脂製の筐体部材と、開口部を貫通するように配置された金属部材と、開口部を覆うとともに筐体部材と金属部材とを接続し、熱応力緩和部を有する接続部材とを備える。接続部材は、開口部の内壁に接触する樹脂製の筐体側固定部と、金属部材と接続された金属製の金属部材側固定部とを含む。筐体側固定部は、筐体部材の外周面上において開口部から外側に延びる樹脂製フランジ部を有する。金属部材側固定部は、樹脂製フランジ部と対向配置される金属製フランジ部を有する。金属製フランジ部と樹脂製フランジ部とは接着部材により接合される。熱応力緩和部は金属製フランジ部と樹脂製フランジ部との接合部を含む。上記樹脂製の筐体部材は、たとえばＦＲＰにより構成されていてもよい。
【手続補正３】
【補正対象書類名】明細書
【補正対象項目名】００１３
【補正方法】変更
【補正の内容】
【００１３】
本発明に係る超電導機器用容器は、超電導体を含む部材を内部に保持する超電導機器用容器であって、開口部を有する樹脂製の筐体部材と、開口部を貫通するように配置された金属部材と、開口部を覆うとともに筐体部材と金属部材とを接続し、かつ、金属からなり弾性変形可能な部分を含む接続部材とを備える。接続部材は、開口部の内壁に接触する樹脂製の筐体側固定部と、弾性変形可能な部分を有し、金属部材と接続された金属製の金属部材側固定部とを含む。筐体側固定部は、筐体部材の外周面上において開口部から外側に延びる樹脂製フランジ部を有する。金属部材側固定部は、樹脂製フランジ部と対向配置される金属製フランジ部を有する。金属製フランジ部と樹脂製フランジ部とは接着部材により接合されている。弾性変形可能な部分は、金属製フランジ部と樹脂製フランジ部との接合部を含む。
【手続補正４】
【補正対象書類名】明細書
【補正対象項目名】００１５
【補正方法】変更
【補正の内容】
【００１５】
本発明に係る超電導機器用容器は、超電導体を含む部材を内部に保持する超電導機器用容器であって、開口部を有する樹脂製の筐体部材と、開口部を貫通するように配置された金属部材と、開口部を覆うとともに筐体部材と金属部材とを接続し、熱応力緩和部を有する接続部材とを備え、接続部材は、熱応力緩和部として湾曲部を有する。
また、本発明に係る超電導機器用容器は、超電導体を含む部材を内部に保持する超電導機器用容器であって、開口部を有する樹脂製の筐体部材と、開口部を貫通するように配置された金属部材と、開口部を覆うとともに筐体部材と金属部材とを接続し、かつ、金属からなり弾性変形可能な部分を含む接続部材とを備える。接続部材は、開口部の内壁に接触する筐体側固定部と、開口部の幅より広い幅を有し、弾性変形可能な部分を有する金属部材側固定部とを含む。金属部材側固定部においては、金属部材側固定部の一方端が筐体側固定部と接続され、一方端と弾性変形可能な部分を介して反対側に位置する他方端が金属部材と接続されている。
本発明に係る超電導機器は、上記超電導機器用容器と、当該超電導機器用容器の内部に配置された、超電導体を含む部材とを備える。この場合、金属部材が貫通した筐体部材の部分（開口部）でのクラックなどの発生を抑制し、信頼性の高い超電導機器を実現できる。